(57)【要約】【課題】例えば移動中などで、無線通信不能な環境に置かれると、テレビジョン放送を表示し続けることができなくなっていた。【解決手段】ＴＶ放送波の受信状態が良い間に、タイムシフトバッファにＴＶ放送データを取りためておく。例えば、再生済みのＴＶ放送データについてもその再生時点では消去せず、そのまま保持しておくようにする。そしてＴＶ放送波の受信状態が悪くなると、タイムシフトバッファに蓄積された録画データをサイクリックに再生する。【選択図】図４
2010074728.tif 000002
【特許請求の範囲】
【請求項１】
テレビジョン放送電波を受信する受信手段と、
テレビジョン放送データを録画する録画データ格納手段と、を備え、
前記受信手段での受信レベルが所定値以上である時、前記受信手段で受信したテレビジョン放送データを前記録画データ格納手段に録画し、該録画されたテレビジョン放送データを再生時点では該録画データ格納手段から消去せず、
前記受信手段での受信レベルが所定値未満である時、前記録画データ格納手段に蓄積された録画データを再生することを特徴とする携帯型テレビジョン受信機。
【請求項２】
テレビジョン放送電波を受信する受信手段と、
前記受信手段による受信レベルを検知する受信状態検知手段と、
テレビジョン放送データを録画する録画データ格納手段と、
前記録画データ格納手段による録画制御を行う録画制御手段と、
テレビジョン放送の映像および音声を出力する出力手段と、
前記出力手段による出力制御を行う出力制御手段と、を備え、
前記受信状態検知手段により検知される受信レベルが所定値以上である時、前記録画制御手段は、前記受信手段で受信したテレビジョン放送データを前記録画データ格納手段に録画すると共に、前記出力制御手段が前記出力手段により出力した時点では当該出力されたテレビジョン放送データを前記録画データ格納手段から消去しないよう制御し、
前記受信状態検知手段により検知される受信レベルが所定値未満である時、前記出力制御手段は、前記録画データ格納手段に蓄積された録画データを再生して前記出力手段により出力することを特徴とする携帯型テレビジョン受信機。
【請求項３】
テレビジョン放送データの区切り位置を認識する区切り認識手段を備え、
前記区切り位置により区切られた区切り領域が前記録画データ格納手段内に設けられ、前記受信状態検知手段により検知される受信レベルが所定値未満である場合、前記出力制御手段により録画データが再生されて、前記受信レベルが所定値以上になった際の録画開始位置に該再生位置が重なる度に、前記録画制御手段は、該再生位置のある区切り領域の後端部に前記録画開始位置を順次移動させることを特徴とする請求項２記載の携帯型テレビジョン受信機。
【請求項４】
前記録画データ格納手段は、格納領域の最初からテレビジョン放送データを順次録画していき、該格納領域の最後まで録画に用いられると該格納領域の最初から続けて録画するようサイクリックにテレビジョン放送データを格納することを特徴とする請求項１から３の何れか１項に記載の携帯型テレビジョン受信機。
【請求項５】
テレビジョン放送電波を受信する受信手段と、
テレビジョン放送データを録画する録画データ格納手段と、を備えた携帯型テレビジョン受信機のプログラムであって、
前記受信手段での受信レベルが所定値以上である時、前記受信手段で受信したテレビジョン放送データを前記録画データ格納手段に録画し、該録画されたテレビジョン放送データを再生時点では該録画データ格納手段から消去せず、
前記受信手段での受信レベルが所定値未満である時、前記録画データ格納手段に蓄積された録画データを再生する処理を前記携帯型テレビジョン受信機のコンピュータに実行させることを特徴とする携帯型テレビジョン受信機のプログラム。
【請求項６】
テレビジョン放送電波を受信する受信手段と、
テレビジョン放送データを録画する録画データ格納手段と、
テレビジョン放送の映像および音声を出力する出力手段と、を備えた携帯型テレビジョン受信機のプログラムであって、
前記受信手段による受信レベルを検知する受信状態検知処理と、
前記受信状態検知処理により検知される受信レベルが所定値以上である時、前記受信手段で受信したテレビジョン放送データを前記録画データ格納手段に録画すると共に、前記出力手段により出力した時点では当該出力されたテレビジョン放送データを前記録画データ格納手段から消去しないよう制御し、前記受信状態検知処理により検知される受信レベルが所定値未満である時、前記録画データ格納手段に蓄積された録画データを再生して前記出力手段により出力する制御処理と、
を前記携帯型テレビジョン受信機のコンピュータに実行させることを特徴とする携帯型テレビジョン受信機のプログラム。
【請求項７】
テレビジョン放送データの区切り位置を認識する区切り認識処理を前記携帯型テレビジョン受信機のコンピュータに実行させ、
前記制御処理では、前記区切り位置により区切られた区切り領域が前記録画データ格納手段内に設けられ、前記受信状態検知処理により検知される受信レベルが所定値未満である場合、録画データが再生されて、前記受信レベルが所定値以上になった際の録画開始位置に該再生位置が重なる度に、当該再生位置のある区切り領域の後端部に前記録画開始位置を順次移動させることを特徴とする請求項６記載の携帯型テレビジョン受信機のプログラム。
【請求項８】
前記録画データ格納手段は、格納領域の最初からテレビジョン放送データを順次録画していき、該格納領域の最後まで録画に用いられると該格納領域の最初から続けて録画するようサイクリックにテレビジョン放送データを格納することを特徴とする請求項５から７の何れか１項に記載の携帯型テレビジョン受信機のプログラム。
【発明の詳細な説明】
【技術分野】
【０００１】
本発明は、例えばＴＶ受信機能付き携帯電話機など、ＴＶ受信機能を備えて移動可能である携帯型テレビジョン受信機および該受信機のプログラムに関する。
【背景技術】
【０００２】
近年、ワンセグ放送の開始などに伴い、携帯型テレビジョン受信機が普及しつつある。
【０００３】
こうしたテレビ受信機として、テレビ電波の受信電力量が所定の電力量以下である状態が所定の期間にわたって継続した場合、テレビ録画装置にテレビ画像を録画し、通信可能である場合にその録画されたテレビ画像をテレビ受信機に送信するようにしたものがある（例えば、特許文献１参照）。
【０００４】
また、テレビジョン放送直接受信手段でテレビ放送電波を直接受信する機能を備えると共に、受信状態が劣化すると、自宅で受信したテレビ放送を送信する機能を有する遠隔地端末装置からのテレビ放送信号を、公衆回線網経由で無線基地局から無線で受信するようにしたものがある（例えば、特許文献２参照）。
【特許文献１】特開２００７−２８４７５号公報
【特許文献２】特開２００３−６９９１０号公報
【発明の開示】
【発明が解決しようとする課題】
【０００５】
しかしながら、上述のような携帯型テレビジョン受信機では、ユーザの使用状態などによってテレビ受信機の位置や向きが変化していくため、電波の受信状態が変化し、場合によって受信不能となる可能性も考えられる。
【０００６】
ここで、携帯型テレビジョン受信機が移動中の暇つぶしといった目的で使用される場合を考えると、たとえ電波の受信状態が変化したとしても、常にテレビジョン放送をユーザが視聴できる状態であることが望ましい。
【０００７】
これに対し、上述した特許文献１のものは、電波の届きにくい場所で受像できなかったテレビ映像をテレビ録画装置に録画しておき、後から視聴できるようにするものであり、携帯型テレビジョン受信機でテレビジョン放送を表示し続けることについてまで考慮されたものではなかった。
【０００８】
また、上述した特許文献２のものは、テレビジョン放送の無線による受信方式を直接と間接の２種類用意するものであり、例えば移動時にトンネルの中を通過する際など、無線通信不能である環境下でもテレビジョン放送を表示し続けることについてまで考慮されたものではなかった。
【０００９】
本発明はこのような状況に鑑みてなされたものであり、例えば移動中などで、無線通信不能な環境に一時的に置かれることがあったとしても、テレビジョン放送を表示し続けることができる携帯型テレビジョン受信機および該受信機のプログラムを提供することを目的とする。
【課題を解決するための手段】
【００１０】
かかる目的を達成するために、本発明に係る携帯型テレビジョン受信機は、テレビジョン放送電波を受信する受信手段と、テレビジョン放送データを録画する録画データ格納手段と、を備え、上記受信手段での受信レベルが所定値以上である時、上記受信手段で受信したテレビジョン放送データを上記録画データ格納手段に録画し、該録画されたテレビジョン放送データを再生時点では該録画データ格納手段から消去せず、上記受信手段での受信レベルが所定値未満である時、上記録画データ格納手段に蓄積された録画データを再生することを特徴とする。
【００１１】
また、本発明に係る携帯型テレビジョン受信機のプログラムは、テレビジョン放送電波を受信する受信手段と、テレビジョン放送データを録画する録画データ格納手段と、を備えた携帯型テレビジョン受信機のプログラムであって、上記受信手段での受信レベルが所定値以上である時、上記受信手段で受信したテレビジョン放送データを上記録画データ格納手段に録画し、該録画されたテレビジョン放送データを再生時点では該録画データ格納手段から消去せず、上記受信手段での受信レベルが所定値未満である時、上記録画データ格納手段に蓄積された録画データを再生する処理を上記携帯型テレビジョン受信機のコンピュータに実行させることを特徴とする。
【発明の効果】
【００１２】
以上のように、本発明によれば、例えば移動中などで、無線通信不能な環境に一時的に置かれることがあったとしても、テレビジョン放送を表示し続けることができる。
【発明を実施するための最良の形態】
【００１３】
次に、本発明に係る携帯型テレビジョン受信機および該受信機のプログラムを、ＴＶ受信機能付き携帯電話機に適用した一実施形態について、図面を用いて詳細に説明する。
本実施形態は、ＴＶ放送波の受信状態が悪くなることに備えてタイムシフトバッファにＴＶ放送データを録りためておき、ＴＶ放送波の受信状態が悪くなっても継続的にＴＶ番組を視聴できる機能を提供するものである。
【００１４】
このため、本実施形態では、ＴＶ放送波の受信状態が良い間に、タイムシフトバッファにＴＶ放送データを取りためておく。例えば、再生済みのＴＶ放送データについてもその再生時点では消去せず、そのまま保持しておくようにする。そしてＴＶ放送波の受信状態が悪くなると、タイムシフトバッファに蓄積された録画データをサイクリックに再生する。
【００１５】
本実施形態としての携帯電話機は、携帯電話機としての所要の電子部品を備えると共に、図１に示すように、ＴＶ放送電波を受信するチューナ（受信手段）１と、ＴＶ放送の映像や音声を出力する出力部７とを備え、ＴＶ放送を視聴できるようになっている。
また、ユーザによる操作入力を受ける操作入力部２と、装置全体の制御を行う制御部３と、ＴＶ放送データを所定容量まで録画することでタイムシフト再生を可能とするタイムシフトバッファ（録画データ格納手段）４と、タイムシフト管理テーブル５と、映像音声デコーダ６とを備える。
【００１６】
タイムシフト管理テーブル５は、図２に例示するように、タイムシフトバッファ４に格納されたデータのインデックスを管理するテーブルである。図２に示すテーブル構成例では、録画されたＴＶ放送データの区切り領域を示す符号に、録画開始時刻と、録画終了時刻と、タイムシフトバッファ内における区切り領域の開始位置と、その区切り領域の終了位置といった区切り領域を特定する特定情報が関連付けて構成される。この図２の構成例における開始位置と終了位置は、タイムシフトバッファ４の容量に対する割合（パーセント）で示している。
【００１７】
映像音声デコーダ６は、映像や音声の圧縮信号をデコードし、出力部７により再生可能な映像信号および音声信号に変換するデバイスである。なお、このデコーダ機能は、専用デバイスにより実現される構成に限定されず、ソフトウェアによりＣＰＵなどの計算部が処理を行うことで実現される構成であってもよい。
【００１８】
制御部３は、本実施形態のプログラムに基づいてＣＰＵなどの計算部が処理を行うことで実現される。この制御部３は、受信状態検知部３１と、ＴＶ放送データにおける区切り位置を認識する区切り認識部３２と、タイムシフトバッファ４への録画制御を行う録画制御部３３と、出力部７による出力制御を行う出力制御部３４とを備える。
【００１９】
受信状態検知部３１は、チューナ１による受信状態を示す信号のレベル（以下、受信レベル）を検知し、検知した受信レベルを録画制御部３３や出力制御部３４に送信する。この受信レベルは、例えば、受信信号のＳ／Ｎ比、受信信号の信号強度、受信信号のビットエラーレートなど、受信状態のレベルを評価する値であれば各種のものを用いてよい。
【００２０】
区切り認識部３２は、例えばチューナ１により電子番組表のデータを受信し、不図示のメモリに格納しておくことで、その電子番組表に基づいて、タイムシフトバッファ４に格納されるＴＶ放送データの区切り位置を認識する。そして、タイムシフトバッファ４内における区切り領域を特定する特定情報を録画制御部３３に送信することにより、例えば上述した図２の例のように、録画制御部３３がタイムシフト管理テーブル５に記録する。
【００２１】
また、ＴＶ放送データの区切り位置を認識することができれば、電子番組表による番組区切りに限定されず、例えば、ユーザによるチャンネル切り替え、ＣＭ（コマーシャル）とＴＶ番組本編との境目などを区切り位置として認識する構成であってもよい。
また、チューナ１によりチャプタ切り替え情報が受信される場合には、そのチャプタ切り替え位置を区切り位置として認識する構成であってもよい。また、これらの区切り位置の何れかを組み合わせて区切り位置として認識する構成であってもよい。
【００２２】
次に、上述したタイムシフトバッファ４へのＴＶ放送データの格納方法と、再生位置を示す再生ポインタおよび録画位置を示す録画ポインタの動きについて、図３の例を参照して説明する。
図３は、録画制御部３３によりタイムシフトバッファ４へのＴＶ放送データの録画が行われると共に、出力制御部３４によりタイムシフト再生が行われ、録画ポインタが再生ポインタよりも先行している状態の例を示す。
【００２３】
タイムシフトバッファ４への録画の際、録画制御部３３は、上述したタイムシフト管理テーブル５に、図２を用いて上述したように、区切り領域を示す符号や区切り領域を特定する特定情報を記録していく。このことにより、タイムシフトバッファ４は、図３（ａ）に示すように、格納領域の最初からＴＶ放送データが録画されてその格納領域の最後まで録画に用いられると、続けて格納領域の最初から録画されるようサイクリックにＴＶ放送データを格納する。
【００２４】
受信状態検知部３１により検知される受信レベルが予め定められた閾値以上である状態がしばらく続き、出力制御部３４がＴＶ放送データを出力部７に出力すると共に、録画制御部３３がＴＶ放送データをタイムシフトバッファ４に録画していくと、図３（ｂ）に示すように、録画ポインタが格納領域の最後まで進むと続けて格納領域の最初から録画されていくこととなる。
【００２５】
この後、受信状態検知部３１により検知される受信レベルが予め定められた閾値未満になると、録画制御部３３によるタイムシフトバッファ４への録画が行われなくなり、出力制御部３４による出力部７への出力だけが行われていくこととなるため、再生ポインタが録画ポインタに追いついていく。こうして再生ポインタが録画ポインタに追いついて重なると、録画制御部３３は、図３（ｃ）に示すように、再生ポインタのある区切り領域の後端部に録画ポインタを移動させる。
【００２６】
なお、このようにタイムシフトバッファ４への録画が行われていない場合、録画ポインタは、受信状態検知部３１により検知される受信レベルが所定値以上になった際の録画開始位置を示す。
【００２７】
この後、受信状態検知部３１により検知される受信レベルが予め定められた閾値未満である状態がさらに続くと、図３（ｄ）に示すように、録画制御部３３は、録画ポインタに再生ポインタが追いついて重なる度に、再生ポインタのある区切り領域の後端部に録画ポインタを順次移動させていくこととなる。
【００２８】
この後、受信状態検知部３１により検知される受信レベルが予め定められた閾値以上になると、図３（ｅ）に示すように、録画制御部３３は、録画ポインタの位置からタイムシフトバッファ４への録画を再開する。出力制御部３４は、そのままタイムシフトバッファ４から出力部７への出力を継続する。
【００２９】
次に、本実施形態による動作について、図４のフローチャートを参照して説明する。
本実施形態としての携帯電話機は、ＴＶ視聴モードである場合には受信状態検知部３１による受信レベルの検知を常時行うこととする。また、ＴＶ番組を出力部７から出力する際には、タイムシフトバッファ４に一度録画してからその録画データを映像音声デコーダ６によりデコードして出力するものとする。
【００３０】
ＴＶ視聴モードにセットされ、受信状態検知部３１により検知される受信レベルが予め定められた閾値以上である場合（ステップＳ１；Ｙｅｓ）、出力制御部３４は、タイムシフトバッファ４を介した通常のリアルタイム等速再生を行う。この時、録画制御部３３は、再生されたＴＶ放送データについてもタイムシフトバッファ４から消去せず、タイムシフトバッファ４に録画していく。タイムシフトバッファ４における録画済み領域に録画する際、録画制御部３３は、順次上書きにより録画する（ステップＳ５）。
【００３１】
受信状態検知部３１により検知される受信レベルが予め定められた閾値未満になると（ステップＳ１；Ｎｏ）、録画制御部３３は、タイムシフトバッファ４への録画を停止する。また、出力制御部３４は、タイムシフトバッファ４に蓄積されているＴＶ放送データの再生をそのまま継続する（ステップＳ２）。
【００３２】
上述のように通常のリアルタイム等速再生だけが行われている間、タイムシフトバッファ４における再生位置を示す再生ポインタは、録画位置を示す録画ポインタと同じ位置にある。ここで、ステップＳ２のようにタイムシフトバッファ４への録画が停止されると、録画制御部３３は、上述のように録画ポインタを再生ポインタのある区切り領域の後端部に移動する。
【００３３】
こうして、タイムシフトバッファ４への録画が停止され、受信レベルが所定値以上になった際の録画開始位置を示す録画ポインタに再生ポインタが追いついて重なる度に、録画制御部３３は、再生ポインタのある区切り領域の後端部に録画ポインタを上述のように順次移動させていくこととなる。
【００３４】
この後、受信状態検知部３１により検知される受信レベルが予め定められた閾値以上になると（ステップＳ３；Ｙｅｓ）、出力制御部３４は、出力部７からの映像または音声により、受信レベルが回復した旨をユーザに通知する。録画制御部３３は、タイムシフトバッファ４へのＴＶ放送データの録画を再開する（ステップＳ４）。
【００３５】
次に、上述した図３の例のように、予め出力制御部３４によりタイムシフト再生が行われており、録画ポインタが再生ポインタよりも先行している場合の動作例について、図５のフローチャートを参照して説明する。
図５は、受信状態検知部３１により検知される受信レベルが予め定められた閾値未満となった場合の動作例を示す。受信レベルが予め定められた閾値以上であれば、そのまま出力制御部３４により通常のタイムシフト再生が行われることとなる。
【００３６】
受信レベルが予め定められた閾値未満になると、録画制御部３３は、タイムシフトバッファ４への録画を停止する。また、出力制御部３４は、タイムシフトバッファ４に蓄積されているＴＶ放送データの再生を、タイムシフト再生によりそのまま継続する（ステップＳ２−１）。
【００３７】
上述のように予めタイムシフト再生が行われ、録画ポインタが再生ポインタよりも先行している場合、録画制御部３３による録画が行われず、出力制御部３４による出力だけが行われることで再生ポインタが録画ポインタの位置に追いついていく。こうして再生ポインタが録画ポインタに追いついて重なると（ステップＳ２−２；Ｙｅｓ）、録画制御部３３は、上述のように録画ポインタを再生ポインタのある区切り領域の後端部に移動させる。また、受信レベルが予め定められた閾値未満の状態が続くと、再生ポインタが録画ポインタに追いついて重なる度に、録画制御部３３は、上述のように録画ポインタを再生ポインタのある区切り領域の後端部に順次移動させていく（ステップＳ２−３）。
【００３８】
受信状態検知部３１により検知される受信レベルが予め定められた閾値以上になると、出力制御部３４が上述のように受信レベル回復の旨を出力部７によりユーザに通知し、録画制御部３３は、タイムシフトバッファ４へのＴＶ放送データの録画を再開する。
このため、受信レベルが予め定められた閾値未満になっても、再生ポインタが録画ポインタに追いついて重なるより前に、受信レベルがその閾値以上に回復した場合、録画制御部３３は録画ポインタの位置からそのままＴＶ放送データの録画を開始し、上述のような録画ポインタの移動は行わないこととなる。
【００３９】
以上のように、上述した実施形態によれば、ユーザが移動中などにより、チューナ１によるＴＶ放送電波の受信状態が悪くなった場合であっても、タイムシフトバッファ４に蓄積されているＴＶ放送データを用いることにより、出力部７によるＴＶ放送データの映像や音声の出力を所定時間継続することができる。
【００４０】
また、受信レベルが予め定められた閾値未満となり、再生ポインタが録画ポインタに追いついて重なった場合に、録画ポインタを上述のように再生ポインタのある区切り領域の後端部に順次移動させるため、受信レベルがその閾値以上に回復した時、録画ポインタを移動させない場合よりも早く、未再生のＴＶ放送データを出力部７から出力することができる。
【００４１】
また、タイムシフト再生時に受信レベルが予め定められた閾値未満となり、再生ポインタが録画ポインタに追いついて重なるより前に、受信レベルがその閾値以上に回復した場合、上述の録画ポインタの移動を行わないことにより、タイムシフト再生によりまだ再生されていない番組を上書きして消去してしまうことのないようにすることができる。
【００４２】
また、受信レベルが予め定められた閾値未満となった後でその閾値以上に回復した場合にも、再生ポインタがタイムシフトバッファ４内でそのまま動くように再生していくため、視聴内容を連続させることができる。
すなわち、仮に、上述した実施形態のように録画ポインタを順次移動させず、受信レベルの回復時にすぐに録画ポインタと再生ポインタを同じ位置にしてＴＶ放送データをリアルタイム再生してしまうと、出力部７による映像や音声が急に切り替わり、直前の視聴内容が途中で停止されることとなってしまう。本実施形態によれば、受信レベルが回復した場合であっても、こうした急な画面切り替わりをしてしまうことなく、視聴内容の連続性を保証することができる。
【００４３】
また、他の無線通信方式を必要とせずに上述の効果を得ることができるため、各種方式の無線通信が不能な環境に一時的に置かれることがあったとしても、出力部７によるＴＶ放送データの映像や音声の出力を途切れさせることなく、継続することができる。
【００４４】
ユーザが携帯型ＴＶ受信機でＴＶ番組を視聴する目的の一つは、暇つぶしであると考えられる。こうした暇つぶしの目的でＴＶを見ている際には、仮にＴＶ放送電波の受信状態が悪くなった場合であっても、ユーザがなんらかのコンテンツの視聴を続けられることが重要である。すなわち、何らかのコンテンツの視聴を続けることができるのであれば、既に視聴済みのコンテンツを再度再生する動作であっても許容しうるものと想定される。
上述した実施形態によれば、ＴＶ放送電波の受信状態が悪い場合であっても、こうした暇つぶし目的のユーザのニーズを満たすことができる。
【００４５】
なお、上述した各実施形態は本発明の好適な実施形態であり、本発明はこれに限定されることなく、本発明の技術的思想に基づいて種々変形して実施することが可能である。
【００４６】
例えば、“暇つぶしモード”といった切替可能な動作モードを設定しておき、その“暇つぶしモード”が操作入力部２により設定されている場合のみ、上述した図４、図５のフローチャートに示す動作を行う構成であってもよい。
【００４７】
また、ユーザによる操作入力部２からの入力により、タイムシフトバッファ４における再生位置を次の区切り領域の先端部に移動させるチャプタージャンプ機能を備える構成であってもよい。この構成とすることで、受信レベルが予め定められた閾値未満になり、再生済みＴＶ放送データが上述のように出力された後、受信レベルがその閾値以上に回復した場合、ユーザがすぐに再生済みＴＶ放送データをとばして未再生のＴＶ放送データを視聴することができる。
【００４８】
また、上述した実施形態では、本発明をＴＶ受信機能付き携帯電話機に適用した例について説明したが、このものに限定されず、例えばＴＶ受信機能付きのＰＤＡ（Personal Digital Assistant）、携帯型ノートＰＣ（Personal Computer）、カーナビゲーション装置、など各種の携帯情報装置であっても、本発明は同様に実現することができる。
【００４９】
また、上述した実施形態を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を用いてよい。
【００５０】
この本発明に係るプログラムによれば、当該プログラムによって制御される各種の携帯型テレビジョン受信機に、上述した実施形態における各機能を実現させることができる。
【図面の簡単な説明】
【００５１】
【図１】本発明の実施形態の構成例を示すブロック図である。
【図２】タイムシフト管理テーブル５の構成例を示す図である。
【図３】タイムシフトバッファ４へのデータ格納例と、再生ポインタおよび録画ポインタの動きを示す図である。
【図４】本実施形態による動作例を示すフローチャートである。
【図５】予めタイムシフト再生が行われている場合の動作例を示すフローチャートである。
【符号の説明】
【００５２】
１    チューナ
２    操作入力部
３    制御部
３１    受信状態検知部
３２    区切り認識部
３３    録画制御部
３４    出力制御部
４    タイムシフトバッファ
５    タイムシフト管理テーブル
６    映像音声デコーダ
７    出力部
【図１】
2010074728.tif 000003
【図２】
2010074728.tif 000004
【図３】
2010074728.tif 000005
【図４】
2010074728.tif 000006
【図５】
2010074728.tif 000007